(57)【要約】【課題】厚さを増すことなく表示面の前方において上下左右方向、或いは前後左右方向の全ての方向に関して視野角の制御が可能なルーバーフィルムを提供する。【解決手段】表示装置における画像が表示される表示面３２ａに装着されて、該表示面の視野角を制御するためのルーバーフィルムにおいて、表示面に接着または着脱可能に装着される粘着面部１２と、粘着面部上に設けられて、前記表示面からの光を遮光する遮光糸２２が網目状に形成された遮光メッシュ部１４とを有するように構成する。これにより、厚さを増すことなく表示面の前方において上下左右方向、或いは前後左右方向の全ての方向に関して視野角の制御を可能とする。【選択図】図１
2008304568.tif 000002
【特許請求の範囲】
【請求項１】
表示装置における画像が表示される表示面に装着されて、該表示面の視野角を制御するためのルーバーフィルムにおいて、
前記表示面に接着または着脱可能に装着される粘着面部と、
前記粘着面部上に設けられて、前記表示面からの光を遮光する遮光糸が網目状に形成された遮光メッシュ部と、
を有することを特徴とするルーバーフィルム。
【請求項２】
前記遮光メッシュ部は導電性を有することを特徴とする請求項１記載のルーバーフィルム。
【請求項３】
画像が表示される表示面に、該表示面の視野角を制御するためのルーバーフィルムが装着された表示装置において、
前記ルーバーフィルムは、
前記表示面に接着または着脱可能に装着された粘着面部と、
前記粘着面部の前記表示面とは反対側に設けられて、前記表示面からの光を遮光する遮光糸が網目状に形成された遮光メッシュ部と、
を有することを特徴とする表示装置
【請求項４】
前記遮光メッシュ部は導電性を有すると共に接地されてなることを特徴とする請求項３記載の表示装置。
【発明の詳細な説明】
【技術分野】
【０００１】
本発明は、ブラウン管、液晶、プラズマなどを使用した表示装置における表示面の視野角を制御するためのルーバーフィルム及びこれを用いた表示装置に関する。
【背景技術】
【０００２】
一般に、ブラウン管、液晶、プラズマなどを利用した表示装置は、情報や映像を表示するために種々の場所で利用されている。例えば公共性の高い場所や一家団欒のリビングなどでの表示装置の使用に関しては、表示装置に対してどの角度から表示装置を眺めても、同一情報が同一の画像品質で見られるように、広い視野角を有するような工夫がなされている。ブラウン管やプラズマ装置などの自発光素子では、基本的に画像を表示する基本単位である画素自体が発光するため、基本的に広い視野角を有する特徴がある。
【０００３】
一方、自発光素子でない液晶表示装置においては、視野角を広げるために、液晶の配向構造を工夫したり、表示装置の表示面に視野角拡大のための機能フィルムを装着したりしている。この様にして、表示装置に対してどの方向からでも均一な品質の画面が見られることが特徴である場合には、この特徴が逆に欠点となる場合がある。例えば銀行における現金自動支払い機等に用いられる表示装置においては、支払い操作のために、キャッシュカードを機械に挿入した後、現金自動支払機の表示装置を利用して、暗証番号を入力したり、払出金額を入力したりするが、この場合に表示装置の視野角が広いと、これらの操作の内容を他人に見られたりするため、操作者自身の機密情報が守られない。
【０００４】
また、役所などで、住民登録などにおいて、個人情報の登録、変更などを行うとき、表示装置の画面の視野角が広いと、処理を行っている担当役人以外、例えば地域住民などの第３者が個人情報をかいま見ることが出来てしまい、個人情報の漏洩となってしまう。
【０００５】
また、表示装置の表示画面を利用して商品の販売交渉などを行う場合においては、客との交渉中は、客と同一画面を確認しながら話し合いを進めていくことから、確認作業中は広い視野角が必要である。しかし交渉がまとまった後、交渉結果や値引きなどの時に、客に知られてはまずい情報を表示しなければならないときは、視野角を狭く制御できることが望まれていた。またこの様な交渉には表示装置が可搬型であると便利であるので、可搬型の表示装置が良く使用される。
【０００６】
しかし可搬型の表示装置は電池動作のため、この様な視野角の制御のためだけに、余分な電力を使用しないようにした方が、作業上表示装置の動作時間が短くならないので望ましく、電力を使用せず、且つ、自由に視野角が変更できるように着脱式が望まれている。視野角についても、秘匿性を確実にするために、表示面の前面の全方位に関して同時に視野角を制御することが望まれている。このように、視野角を制御する装置として例えば特許文献１〜３において先行技術が開示されている。
【０００７】
【特許文献１】特開２００３−２７９９５１号公報
【特許文献２】特開平６−２３５８１７号公報
【特許文献３】特開２００５−２３４０９６号公報
【発明の開示】
【発明が解決しようとする課題】
【０００８】
ところで、上記特許文献１では、視野角を制御するようにルーバーフィルムとして図８に示すように、光を透過する一定の幅の光透過層２内に、所定の間隔で光遮光層４を並列的に配列している。図８（Ａ）に示す場合には、光遮光層４を光透過層２の平面に対して垂直となるように設け、図８（Ｂ）に示す場合には、光遮光層４を光透過層２の平面に対して傾斜するように設けている。そして、この構造をルーバーフィルムとして使用する方法が開示されている。
【０００９】
しかしながら、このルーバーフィルムの場合には、表示面の前方に拡がる視野角のうち、一方向、例えば上下方向、或いは左右方向のみにしかルーバー機能が作用しない、という欠点があった。尚、ここで上下方向、左右方向とは、表示面を垂直に設置した場合の方向を示し、表示面を水平に設置した場合には、水平面内において、前後方向と左右方向になる。この点は、以下同様である。
【００１０】
この欠点を解決するために、例えば、上記ルーバーフィルムを、互いに直角に２枚重ね合わせて、上下左右の両方向の視野角を制御する技術も開示されているが、この場合には既存フィルムを２枚貼り合わせるため、厚さが１ｍｍ程度と厚くなってしまい、携帯電話等の表示面への搭載は困難になってしまう。
【００１１】
また、上記特許文献２においては、偏光布が開示されており、この偏光布では、光を遮断するルーバー層が偏光性を有する繊維により形成されており、この繊維を例えば一方向の縦糸として編むことによってルーバー機能を発生させ、視野角を制御するようになっている。しかしながら、この場合には繊維が偏光性繊維であるために、表示装置に装着後、外部より太陽光線が当たると、太陽光線の反射により見かけ上ルーバー機能が低下してしまったり、網目が外部に露出しているために、使用中に繊維間にゴミが付着すると、除去するのに困難である、という問題があった。また視野角制御についても上下方向、或いは左右方向の１方向のみであり、２方向制御ではなかった。
【００１２】
また上記特許文献３においては、表示装置の上下左右の視野角を制御する技術が開示されている。しかしながら、この場合には、適用される表示装置が液晶画面に限られているのみならず、液晶表示装置内に、ルーバー層を設置する構造になっているために、ルーバーの着脱が不可能である、という問題があった。
【００１３】
本発明は、以上のような問題点に着目し、これを有効に解決すべく創案されたものである。本発明の目的は、厚さが例えば１ｍｍよりも薄く表示面の前方において上下左右方向、或いは前後左右方向の全ての方向に関して視野角の制御が可能なルーバーフィルム及びこれを用いた表示装置を提供することにある。
【課題を解決するための手段】
【００１４】
請求項１に係る発明は、表示装置における画像が表示される表示面に装着されて、該表示面の視野角を制御するためのルーバーフィルムにおいて、前記表示面に接着または着脱可能に装着される粘着面部と、前記粘着面部上に設けられて、前記表示面からの光を遮光する遮光糸が網目状に形成された遮光メッシュ部と、を有することを特徴とするルーバーフィルムである。
【００１５】
この場合、例えば請求項２に記載したように、前記遮光メッシュ部は導電性を有している。
請求項３に係る発明は、画像が表示される表示面に、該表示面の視野角を制御するためのルーバーフィルムが装着された表示装置において、前記ルーバーフィルムは、前記表示面に接着または着脱可能に装着された粘着面部と、前記粘着面部の前記表示面とは反対側に設けられて、前記表示面からの光を遮光する遮光糸が網目状に形成された遮光メッシュ部と、を有することを特徴とする表示装置である。
この場合、例えば請求項４に記載したように、前記遮光メッシュ部は導電性を有すると共に接地されている。
【発明の効果】
【００１６】
本発明に係るルーバーフィルム及びこれを用いた表示装置によれば、ルーバーフィルムを、表示面に装着される粘着面部と、この粘着面部に接合されて、遮光糸を網目状に形成してなる遮光メッシュ部とを有するように構成したので、厚さを増すことなく表示面の前方において上下左右方向、或いは前後左右方向の全ての方向に関して視野角の制御ができる。
【発明を実施するための最良の形態】
【００１７】
以下に、本発明に係るルーバーフィルム及びこれを用いた表示装置の好適な一実施例を添付図面に基づいて詳述する。
図１は本発明に係るルーバーフィルムを示す部分拡大断面図、図２はルーバーフィルム中の遮光メッシュ部の一例を示す平面図、図３はルーバーフィルムを装着した表示装置の一例を示す模式図、図４はルーバーフィルムの視野角の状態を説明する説明図、図５はルーバーフィルムの視野角の計算式を示す図である。
【００１８】
図１に示すように、本発明のルーバーフィルム１０は、薄いフィルム状に成形された遮光面部としてのフィルム基体１２と、このフィルム基体１２の表面に接合されて遮光糸を網目状に形成してなる遮光メッシュ部１４とにより、主に構成されている。
【００１９】
具体的には、上記遮光面部としてのフィルム基体１２の下面には、粘着剤層１６が形成され、このフィルム基体１２の上面には上記遮光メッシュ部１４が配置されている。そして、この遮光メッシュ部１４には、この厚さよりも少し厚くなるような状態で充填剤１８が充填されて上記遮光メッシュ部１４内の隙間を埋め込んでいる。更に、この充填剤１８の上面には、ハードコート層２０が形成されている。
【００２０】
この結果、上記ルーバーフィルム１０は、粘着剤層１６とフィルム基体１２と遮光メッシュ部１４と充填剤１８とハードコート層２０がこの順に積層されてなる構造を有している。また場合によっては上記ハードコート層２０に関しては、これを用いなかったり、ハードコート以外の機能を有するもので置き換えられたり、上記充填剤１８とハードコート層２０との間に、別の機能層を介在させる場合もある。
【００２１】
次に各構成要素について詳しく説明をする。
上記粘着剤層１６は、これを表示装置に接着させるために必要な層であり、光透過性を有する透明な層である。ブラウン管表示装置などのようにガラスが表面にある場合やプラズマ表示装置などのように反射防止用アンチグレヤ層と呼ばれる微細な凸凹形状をしたプラスチック表示面にでも良好な接着を行い、かつ自由に着脱が出来るように考慮されなければならない。脱着をした場合に、粘着剤が表示面上に残留しないことも考慮されなくてはならない。そのために適した材料としては、常温でゴム状ゲル状の形態をしている、シリコン樹脂が最適であり、とりわけ分子量５万から５０万程度のジメチルポリシロキサンが好適である。
【００２２】
特に、このジメチルポリシロキサンが有する２つのメチル基の内の一方のメチル基をフェニル基で置換したメチルフェニルポリシロキサンを５から１０％程度共重合させると、低温における粘着力を更に確保できる。
【００２３】
またエチレン酢酸ビニル共重合体も透明であり、上記粘着剤層１６として良好である。ただし、含有される酢酸ビニル量が少ないと、接着性が劣るために好ましくない。そのため、含有される酢酸ビニル量が２０％から５０％のものを使用すると、着脱も容易であり、本発明に好適である。また、粘着力が大きな場合は、ポリエチレングリコールなどの離型剤などを添加するなどで、粘着性の制御が出来る。
【００２４】
この様な粘着剤層１６を、１から１０μｍの厚さに塗布された構成を有する。この厚さが１μｍよりも薄いと、表示装置の表示面に凸凹に沿って粘着しにくくなるために適当でない。また厚さが１００μｍを超えると、表示装置の表示面の凸凹を覆うように粘着が可能となるが、粘着剤層１６の内部の層間剥離が起き易くなり、使用可能な着脱回数が減少してしまう。
【００２５】
上記フィルム基体１２はルーバーフィルムとしての機能を維持するために必要な基材である。このルーバーフィルムは、室内はもとより、屋外でも使用されるため、それらの環境下で性質の変化が生じない材料が好ましく、光透過性に優れ、ヤング率が大きく、使用環境下での剛性率の変化が少ないものが最適である。使用環境は−５℃から車上の９０℃位までを想定しておく必要がある。
【００２６】
このフィルム基体１２に適した材料は、コストを含めて考えると、ポリエチレンテレフタレート樹脂フィルム（ＰＥＴフィ ルム）やポリカーボネート樹脂フ ィルム（ＰＣフィルム）が最適である。ＰＥＴやＰＣフィルムについては、上記充填剤１８との良好な接着力が得られない場合も生じるために、必要に応じＰＥＴやＰＣフィルム上に易接着処理を行うと良い。この易接着処理は、フィルムメーカーにて、コロナ放電処理、アクリル系エステル樹脂のコーティング、塩素化ポリオレフィンなどのオレフィン系易接着層塗布などで実現されている。
【００２７】
上記遮光メッシュ部１４は、光を遮断する機能を有する遮光糸２２を網目状に形成して構成される。具体的には、例えば図２に示すように遮光糸２２を縦糸２２ａと横糸２２ｂとに分けて例えば格子状に織ることで形成される。この遮光メッシュ部１４としては、市販されている着色メッシュを用いることが出来る。着色部は、黒色にすることにより可視光線を良好に遮蔽できるため好適である。また黒色であっても、その黒色をカーボンブラックによって得ている場合には更に好適である。このカーボンブラックは顔料であるために、可視光線の遮蔽能力に優れている。
【００２８】
また、遮光糸２２内にカーボンブラックを多量に含有させると、繊維の体積電気抵抗率が低下して導電性が発現するために、帯電防止作用も兼ねることが出来る。このカーボンブラックが５重量％以上４０重量％以下で含有させることで、遮光性と帯電防止性の両方の性質をバランス良く発現させることが出来る。
【００２９】
また、このカーボンブラック含有量は１重量％以上あれば遮光上は充分であるが、帯電防止に必要な１０９ Ωｃｍ以下の体積抵抗率を得るためには、上述のように５％重量以上の含有率が効果的であるが、これが４０重量％よりも大きい含有率となると、多量のカーボンブラックのため、繊維の柔軟性が欠け、メッシュとして編むことが出来なくなるばかりか、本発明のルーバーフィルムを作製するための搬送工程で、メッシュに割れや欠けが生じるため、製品の良品率を低下させてしまい、不良品の増大を招くと共に、コストも高くなってしまい、廃棄物が増加することで、地球環境問題上からも望ましくない。
【００３０】
この様な導電性を有する遮光メッシュ部１４を使用した場合の、適切な使用例は、この導電性の遮光メッシュ部１４を電線等にて、筐体ヘアース接続を行うことにより達成される。すなわち、このルーバーフィルム端より、金属または導電性粒子含有の導電フィルム、導電ゴム等を用いて筐体にアース接続を行うことで達成できる。
【００３１】
上記遮光糸２２の太さは、５０μｍ以上２００μｍ以下が好適である。またメッシュのサイズは５０メッシュから２５０メッシュが最適である。これらのメッシュサイズの遮光メッシュ部１４を用いることにより、３０μｍから１００μｍ程度の穴（透過穴）２４の集合体を得ることが出来る（図２参照）。表示装置における表示画素の大きさは、０．１ｍｍから１ｍｍ程度であるので、この間に、メッシュ目開き（穴２４）が複数個〜１０個以内ほど形成されると都合がよい。
【００３２】
また上記充填剤１８としては、有機溶剤に溶解されたポリ塩化ビニル樹脂、ポリスチレン樹脂、ポリカーボネート樹脂、ポリメタクリル樹脂などが好適である。これら樹脂を有機溶剤に溶解させた状態のものを充填剤１８として使用し、有機溶剤を除去すると、屈曲性に富むと共に、割れ難い充填剤１８を形成することができる
【００３３】
また、紫外線硬化樹脂も上記充填剤１８として好適に用いることが出来る。この紫外線硬化樹脂は、前述のように有機溶剤を使用しないために、製造場所の作業環境に優れる効果を有する。好適な紫外線硬化樹脂は、主成分に、エチレングリコールジアクリレート、プロピレングリコールジアクリレート、ブタンジオールジアクリレートなどの２官能のアクリル酸エステルが好適である。これら２官能のアクリル酸エステルを主成分とする紫外線硬化樹脂の硬化物は適度な硬さと、柔軟性を有し、あまり急速でない硬化発熱量はベースのフィルム基体１２の変形を最小限に留める効果を有する。
【００３４】
また、上記ハードコート層２０としては、有機材料や無機材料が好適に用いられ、この厚さも、有機材料であれば数μｍ、無機材料であれば０．１μｍ以下である。また有機材料中に無機微粒子を分散させたハードコート層２０も用いることができ、この場合には厚さは数μｍ程度である。この様なハードコート層２０を設置することで、遮光メッシュ部１４が傷つくのを防止することが出来る。
【００３５】
このように形成されたルーバーフィルム１０は、例えば図３に示すように表示装置に装着される。図３（Ａ）は、上記ルーバーフィルム１０を、例えば現金自動支払機３０等に設定された例えば液晶式の表示装置３２の表示面３２ａに、ルーバーフィルム１０の下面の粘着剤層１６（図１参照）でもって接着することによって取り付けた状態を示している。操作者は、このルーバーフィルム１０の上方より表示面３２ａに表示された画像を視認しつつ所定の入力操作を行うことになる。尚、この場合、上記表示装置３２には、情報入力機能が併設されているのは勿論である。
【００３６】
図３（Ｂ）は、前述したように上記ルーバーフィルム１０の遮光メッシュ部１４に導電性機能を有している場合に、この端部よりアース線３４を引き出して接地させている状態を示している。これにより、前述したように、ルーバーフィルム１０が帯電することを防止することができる。
このように、ルーバーフィルムを、フィルム基体１２と、このフィルム基体１２に接合されて、遮光糸を網目状に形成してなる遮光メッシュ部１４とを有するように構成したので、厚さが例えば１ｍｍよりも薄く表示面の前方において上下左右方向、或いは前後左右方向の全ての方向に関して視野角の制御ができる。
【００３７】
具体的には、図４はルーバーフィルムの視野角の状態を説明する説明図であり、ここでは遮光メッシュ部１４の遮光糸２２（２２ａ、２２ｂ）が線状に模式的に描かれている。一定の直径（厚さ）を有する遮光糸２２によって表示面からの光は穴（透過穴）２４を通る時に制限されることになり、この表示面の前方（上方）で視認する人には、上記表示面に対する法線３６を中心軸として上記穴２４を頂点とする逆円錐形状内に納まる光が到達することになる。この時の円錐形状の頂点の断面の角度αが視野角となる。尚、実際には、厳密には上記穴２４は四角形であり、透過光は略四角錐状となるが、近似的に円錐形状とみなすことができる。
【００３８】
この時の視野角α、すなわちルーバー特性について図５を参照してより詳しく説明する。ここでは、図を簡略化して示しており、２本の遮光糸２２間の穴２４を通る光の状態を表している。例えば遮光糸２２の直径Ｄを１００μｍ、２本の遮光糸２２の互いの中心間の距離Ｈを１５０μｍとすると、上記穴２４を通って上記２つの遮光糸２２と互いに接する２つの接線の開き角が視野角αとなる。ここで上記接線とルーバーフィルム１０の平面方向とがなす角度をθとすると、上記視野角αは次の式のようになる。
【００３９】
Ｔａｎ−１θ＝Ｄ／Ｈ＝１００μｍ／１５０μｍ＝３３．６°
α＝１８０°−２×３３．６°＝１１２．８°
【００４０】
このように、ルーバー特性については、直径１００μｍの遮光糸２２が、１５０μｍ間隔で設置された遮光メッシュ部１４では上記式より、視野角αを１１２度に制御することが出来る。この遮光糸２２は縦横に設置されているために、ほぼ上下左右にわたり、或いは前後左右にわたり、この視野角とすることが出来る。この視野角αより、角度を狭く制御するためには、遮光糸２２の直径を太くし、間隔を狭くすればよいこととなるが、それにより、表示装置を隠蔽してしまう面積も増加してしまうので、表示装置との明るさを考慮し、用いるメッシュを決める。表示装置を隠蔽しない部分の面積は一般に「目開き率」と呼ばれているので、使用するメッシュの目開き率も参考にすると良い。
【００４１】
尚、ここでは遮光メッシュ部１４の遮光糸２２の編み方は、図２及び図６（Ａ）に示すように、遮光糸２２を縦横に編み込んだ平織り（格子網目）と呼ばれる折り方を行った場合を例にとって説明したが、これに限定されず、上記遮光糸２２同士を絡ませ、図６（Ｂ）に示すようにハチの巣状にくみ上げた、ハニカム網目等にしてもよい。いずれにしても遮光糸２２を編むことにより、透過穴２４の縦横（周囲）が遮光繊維である遮光糸２２で囲われるようになり、本発明に好適な上下左右、或いは前後左右の視野角の制御機能を生じさせることができる。
【００４２】
また図７は本発明のルーバーフィルムの変形例を示す部分拡大図である。図７（Ａ）に示す場合は、前述したように遮光メッシュ部１４に導電性機能を持たした場合を示しており、この場合には、先に説明したようにアース線３４により遮光メッシュ部１４をアースすれば、ルーバーフィルム１０が静電気で帯電することを防止することができる。
また、上記充填剤１８の使用量を少なくしたり、遮光メッシュ部１４の遮光網目（透過穴２４）の間隔が製造工程中に変化しないようにするために、図７（Ｂ）に示すように、遮光メッシュ部１４の一部に光透過性を有する透明繊維４０を組み入れるようにしても良い。
【００４３】
この場合、例えば遮光糸２２と透明繊維４０とを交互に編んでメッシュとすることで、遮光メッシュ部１４の形成工程で、メッシュ間隔が変化し、ルーバー特性のばらつきが大きなルーバーフィルムを製造することが少なくなり、工程の歩留まりが向上し、安定した生産を行う効果を発現することが出来る。また、この透明繊維４０は、縦糸及び横糸の双方に入れてもよいし、又はいずれか一方に入れてもよい。
【００４４】
また、上記実施例では、フィルム基体１２の一面に粘着剤層１６を形成し、他方の面に遮光メッシュ部１４を形成したが、これに限定されず、図７（Ｃ）に示すように充填剤１８が充填された遮光メッシュ部１４の一面に粘着剤層１６を形成し、他方の面にフィルム基体１２を形成するようにしてもよい。
【００４５】
この構成にすると、粘着剤層１６の近くに透過性メッシュ部１４が位置するために、表示装置と遮光メッシュ部１４との距離を縮めることが出来、遮光メッシュ部１４による表示隠蔽機能を向上させることが出来る。この変形例を図７（Ｂ）に示す変形例に適用した場合には、透明繊維４０の屈折率と充填剤１８の屈折率との差を０．１以下とすることで、透明繊維４０と充填剤１８との界面からの反射を防ぎ、透明繊維４０が視認されることを防ぎ、高品質な表示画面を得ることができる。
【００４６】
また、上記ルーバーフィルム１０は、上記表示装置３２に関しては、液晶式の表示装置、プラズマ式の表示装置、ブラウン管式の表示装置等の全ての表示装置に適用することができる。
このように、表示装置の視野角を制御するためのルーバーフィルム１０の遮光メッシュ部１４に、遮光糸を用いることで、例えば１ｍｍ未満の薄さで、上下左右の両方向、或いは前後左右の両方向の視野角の制御が可能となる。また粘着剤層１６に低粘度接着剤を用いたため、表面が凸凹形状を有する表示面上にも良好に接着脱着できる効果を有する。
【図面の簡単な説明】
【００４７】
【図１】本発明に係るルーバーフィルムを示す部分拡大断面図である。
【図２】ルーバーフィルム中の遮光メッシュ部の一例を示す平面図である。
【図３】ルーバーフィルムを装着した表示装置の一例を示す模式図である。
【図４】ルーバーフィルムの視野角の状態を説明する説明図である。
【図５】ルーバーフィルムの視野角の計算式を示す図である。
【図６】遮光メッシュ部の遮光糸の編み方の一例を示す図である。
【図７】本発明のルーバーフィルムの変形例を示す部分拡大図である。
【図８】視野角を制御するようになされたルーバーフィルムの一例を示す拡大図である。
【符号の説明】
【００４８】
１０…ルーバーフィルム、１２…遮光面部（フィルム基体）、１４…遮光メッシュ部、１６…粘着剤層、１８…充填剤、２０…ハードコート層、２２…遮光糸、２４…穴（透過穴）、３２…表示装置、３２ａ…表示面。
【図１】
2008304568.tif 000003
【図２】
2008304568.tif 000004
【図３】
2008304568.tif 000005
【図４】
2008304568.tif 000006
【図５】
2008304568.tif 000007
【図６】
2008304568.tif 000008
【図７】
2008304568.tif 000009
【図８】
2008304568.tif 000010